(57)【要約】【課題】載置原稿が搬送される際、第１読取窓を介して該原稿の表面を読み取り、第２読取窓を介して該原稿の裏面を読み取る画像読取装置において、原稿の表面読取又は裏面読取の何れか一方が出来ない場合においても、原稿の読取ができ、斯かる際にはユーザに対する案内を行なうことによってユーザの使い勝手を高める画像読取装置、画像形成装置及び読取方法を提供する。【解決手段】前記第１読取窓及び第２読取窓の汚れを検出して該第１読取窓又は第２読取窓が汚れているか否かを判定し、前記原稿の表面又は裏面を選択的に読取すると共に、このような場合は、ユーザに対して原稿の読取に係る案内を表示する。【選択図】図５
2013121141.tif 000002
【特許請求の範囲】
【請求項１】
載置原稿が搬送される際、第１読取窓を介して該原稿の表面を読み取り、第２読取窓を介して該原稿の裏面を読み取る画像読取装置において、
前記第１読取窓及び第２読取窓の汚れを検出する検出部と、
該検出部の検出結果に基づき、前記第１読取窓又は第２読取窓が汚れているか否かを判定する判定手段と、
該判定手段の判定結果に基づき、前記原稿の表面又は裏面を選択的に読取する読取部と、
原稿の選択的読取が行なわれる場合、読取に係る案内を表示する表示部と
を備えることを特徴とする画像読取装置。
【請求項２】
読取すべき原稿が片面原稿であるか、両面原稿であるかの指定を受け付ける指定受付手段を備えており、
該指定受付手段が受け付けた指定、及び前記判定手段の判定結果に基づき、前記表示部は原稿の裏表の反転を促す旨を表示するように構成されていることを特徴とする請求項１に記載の画像読取装置。
【請求項３】
前記判定手段によって前記第１読取窓が汚れていると判定され、かつ前記指定受付手段が読取すべき原稿が両面原稿であるとの指定を受け付けた場合、
前記読取部は原稿の裏面を読み取り、
その後、前記表示部は原稿の裏表の反転を促す旨を表示するように構成されていることを特徴とする請求項２に記載の画像読取装置。
【請求項４】
前記判定手段によって前記第１読取窓が汚れていると判定され、かつ前記指定受付手段が読取すべき原稿が片面原稿であるとの指定を受け付けた場合、
前記表示部は原稿の裏表の反転を促す旨を表示するように構成されていることを特徴とする請求項２又は３に記載の画像読取装置。
【請求項５】
前記判定手段によって前記第２読取窓が汚れていると判定され、かつ前記指定受付手段が読取すべき原稿が両面原稿であるとの指定を受け付けた場合、
前記読取部は原稿の表面を読み取り、
その後、前記表示部は原稿の裏表の反転を促す旨を表示するように構成されていることを特徴とする請求項２から４の何れかに記載の画像読取装置。
【請求項６】
請求項１から５の何れかに記載の画像読取装置と、
該画像読取装置によって読み取られた画像をシート上に形成する画像形成手段と
を備えることを特徴とする画像形成装置。
【請求項７】
載置原稿が搬送される際、第１読取窓を介して該原稿の表面を読み取り、第２読取窓を介して該原稿の裏面を読み取る読取部と、前記第１読取窓及び第２読取窓の汚れを検出する検出部とを備える画像読取装置にて、原稿を読み取る読取方法において、
前記検出部の検出結果に基づき、前記第１読取窓又は第２読取窓が汚れているか否かを判定する判定ステップと、
該判定ステップでの判定結果に基づき、前記原稿の表面又は裏面の選択的読取を指示する指示ステップと、
原稿の選択的読取が行なわれる場合、読取に係る案内を表示するステップと
を含むことを特徴とする読取方法。
【発明の詳細な説明】
【技術分野】
【０００１】
本発明は、載置原稿が搬送される際、該原稿の表面又は裏面を読み取る画像読取装置、画像形成装置及び読取方法に関する。
【背景技術】
【０００２】
近年、原稿の画像を読み取る画像読取装置の多くには、原稿を自動的に取り込んで搬送する自動原稿送り装置（ＡＤＦ：Auto  Document  Feeder）が搭載されている。該ＡＤＦを用いて原稿の読取を行なう場合、搬送される原稿に読取窓を介して光が照射され、原稿からの反射光を、該読取窓を介して取得して、取得した反射光に基づき、当該原稿の画像データが生成される。
【０００３】
更に、このような画像読取装置の中には、搬送される原稿の表面を読み取る表面読取部と、搬送される原稿の裏面を読み取る裏面読取部とを共に備え、原稿が搬送される際、該原稿の表面及び裏面の読取を共に行なうことができるものもある。
【０００４】
しかし、上述した画像読取装置においては、搬送される原稿が前記読取窓と接触して、該読取窓が汚れる問題が生じていた。詳しくは、搬送される原稿のトナー、インク又は粉塵等が前記読取窓に付着され、生成される画像データに、例えば、スジ状の模様が表れる等の問題が生じていた。
【０００５】
このような問題に対して、特許文献１には、原稿の読取動作が終了したときに、走行体を介して、コンタクトガラス（読取窓）の上方に配置されたゴミ検知基準部材を読み取り、この読取画像に基づき、走行体とゴミ検知基準部材との間にあるゴミを検知し、ゴミがあるときには、その旨をユーザに報知する画像形成装置が開示されている。
【先行技術文献】
【特許文献】
【０００６】
【特許文献１】特開２０１０−５６７２１号公報
【発明の概要】
【発明が解決しようとする課題】
【０００７】
一方、上述したように、表面読取部及び裏面読取部を共に備える画像読取装置においては、何れの一方の使用が出来ない場合、例えば、斯かる読取窓に頑固な汚れが付着されて、スジ状の模様が表れることから、当該読取部の使用に支障が生じている等の場合が想定できる。しかしながら、特許文献１の画像形成装置はこのような問題に対して何ら開示されておらず、斯かる問題を解決できない。
【０００８】
本発明は、斯かる事情に鑑みてなされたものであり、その目的とするところは、載置原稿が搬送される際、第１読取窓を介して該原稿の表面を読み取り、第２読取窓を介して該原稿の裏面を読み取る画像読取装置において、前記第１読取窓及び第２読取窓の汚れを検出して該第１読取窓又は第２読取窓が汚れているか否かを判定し、前記原稿の表面又は裏面を選択的に読取すると共に、このような場合は、ユーザに対して原稿の読取に係る案内を表示することにより、上述したように、前記表面読取部又は裏面読取部の何れか一方の使用が出来ない場合においても、原稿の読取ができ、斯かる際にはユーザに対する案内を行なうことによってユーザの使い勝手を高める画像読取装置、画像形成装置及び読取方法を提供することにある。
【課題を解決するための手段】
【０００９】
本発明に係る画像読取装置は、載置原稿が搬送される際、第１読取窓を介して該原稿の表面を読み取り、第２読取窓を介して該原稿の裏面を読み取る画像読取装置において、前記第１読取窓及び第２読取窓の汚れを検出する検出部と、該検出部の検出結果に基づき、前記第１読取窓又は第２読取窓が汚れているか否かを判定する判定手段と、該判定手段の判定結果に基づき、前記原稿の表面又は裏面を選択的に読取する読取部と、原稿の選択的読取が行なわれる場合、読取に係る案内を表示する表示部とを備えることを特徴とする。
【００１０】
本発明にあっては、前記検出部が前記第１読取窓及び第２読取窓の汚れを検出し、該検出部の検出結果に基づき、前記判定手段が前記第１読取窓又は第２読取窓が汚れているか否かを判定する。前記読取部は、前記判定手段の判定結果に基づき、前記原稿の表面又は裏面を選択的に読取する。このように、原稿の選択的読取が行なわれる場合、前記表示部には読取に係る案内が表示される。
【００１１】
本発明に係る画像読取装置は、読取すべき原稿が片面原稿であるか、両面原稿であるかの指定を受け付ける指定受付手段を備えており、該指定受付手段が受け付けた指定、及び前記判定手段の判定結果に基づき、前記表示部は原稿の裏表の反転を促す旨を表示するように構成されていることを特徴とする。
【００１２】
本発明にあっては、前記指定受付手段が受け付けた指定、及び前記判定手段の判定結果に基づき、前記表示部は原稿の裏表の反転するように促す旨を表示し、原稿の選択的読取におけるユーザの操作を案内する。
【００１３】
本発明に係る画像読取装置は、前記判定手段によって前記第１読取窓が汚れていると判定され、かつ前記指定受付手段が読取すべき原稿が両面原稿であるとの指定を受け付けた場合、前記読取部は原稿の裏面を読み取り、その後、前記表示部は原稿の裏表の反転を促す旨を表示するように構成されていることを特徴とする。
【００１４】
本発明にあっては、前記判定手段によって前記第１読取窓が汚れていると判定され、かつ前記指定受付手段が読取すべき原稿が両面原稿であるとの指定を受け付けた場合、まず、前記読取部が原稿の裏面を読み取った後、前記表示部が原稿の裏表の反転を促す旨を表示する。これに応じて、ユーザが原稿の裏表を反転させ、前記読取部が原稿の裏面を再び読み取り、両面原稿に対応する。
【００１５】
本発明に係る画像読取装置は、前記判定手段によって前記第１読取窓が汚れていると判定され、かつ前記指定受付手段が読取すべき原稿が片面原稿であるとの指定を受け付けた場合、前記表示部は原稿の裏表の反転を促す旨を表示するように構成されていることを特徴とする。
【００１６】
本発明にあっては、前記判定手段によって前記第１読取窓が汚れていると判定され、かつ前記指定受付手段が読取すべき原稿が片面原稿であるとの指定を受け付けた場合、ユーザに原稿の裏表を反転させるように促す旨が前記表示部に表示され、これに応じて、ユーザが原稿の裏表を反転させ、前記読取部が原稿の裏面を読み取る。
【００１７】
本発明に係る画像読取装置は、前記判定手段によって前記第２読取窓が汚れていると判定され、かつ前記指定受付手段が読取すべき原稿が両面原稿であるとの指定を受け付けた場合、前記読取部は原稿の表面を読み取り、その後、前記表示部は原稿の裏表の反転を促す旨を表示するように構成されていることを特徴とする。
【００１８】
本発明にあっては、前記判定手段によって前記第２読取窓が汚れていると判定され、かつ前記指定受付手段が読取すべき原稿が両面原稿であるとの指定を受け付けた場合、まず、前記読取部が原稿の表面を読み取った後、ユーザに原稿の裏表を反転させるように促す旨が前記表示部に表示される。これに応じて、ユーザが原稿の裏表を反転させ、前記読取部が原稿の表面を再び読み取り、両面原稿に対応する。
【００１９】
本発明に係る画像形成装置は、前述の発明の何れか一つに記載の画像読取装置と、該画像読取装置によって読み取られた画像をシート上に形成する画像形成手段とを備えることを特徴とする。
【００２０】
本発明にあっては、前記画像読取装置によって読み取られた画像を、前記画像形成手段が記録用紙等シート上に形成する。
【００２１】
本発明に係る読取方法は、載置原稿が搬送される際、第１読取窓を介して該原稿の表面を読み取り、第２読取窓を介して該原稿の裏面を読み取る読取部と、前記第１読取窓及び第２読取窓の汚れを検出する検出部とを備える画像読取装置にて、原稿を読み取る読取方法において、前記検出部の検出結果に基づき、前記第１読取窓又は第２読取窓が汚れているか否かを判定する判定ステップと、該判定ステップでの判定結果に基づき、前記原稿の表面又は裏面の選択的読取を指示する指示ステップと、原稿の選択的読取が行なわれる場合、読取に係る案内を表示するステップとを含むことを特徴とする。
【００２２】
本発明にあっては、前記検出部の検出結果に基づき、前記第１読取窓又は第２読取窓が汚れているか否かが判定され、斯かる判定結果に基づき、前記原稿の表面又は裏面の選択的読取が指示され、該指示に応じて前記読取部が原稿の読取を行なう。このように、読取部が原稿の表面又は裏面を選択的に読み取る際、ユーザに対する読取に係る案内が表示される。
【発明の効果】
【００２３】
本発明によれば、搬送される原稿の表面及び裏面の読取が行なわれる画像読取装置又は画像形成装置において、例えば、当該読取窓に頑固な汚れが付着されたことにより、前記表面の読取又は裏面の読取の何れか一方が出来ない場合においても、原稿の読取が可能であるうえに、斯かる際にはユーザに対する案内を行なうことによってユーザの使い勝手を高めることができる。
【図面の簡単な説明】
【００２４】
【図１】本発明の実施の形態に係る複合機の外見を示す斜視図である。
【図２】本発明の実施の形態に係る複合機の要部構成を示す機能ブロック図である。
【図３】本発明の実施の形態に係る複合機の画像読取部の要部構成を示す縦断面図である。
【図４】本発明の実施の形態に係る複合機の画像読取部の要部構成を示す機能ブロック図である。
【図５】本発明の実施の形態に係る複合機の画像読取部における、読取制御部の要部構成を示す機能ブロック図である。
【図６】本発明の実施の形態に係る複合機における、汚れ検出と、汚れ検出に基づく処理とを説明するフローチャートである。
【図７】本発明の実施の形態に係る複合機における、汚れ検出と、汚れ検出に基づく処理とを説明するフローチャートである。
【図８】本発明の実施の形態に係る複合機において、表示部に表示される案内画面の一例を示す例示図である。
【図９】本発明の実施の形態に係る複合機において、表示部に表示される案内画面の他例を示す例示図である。
【図１０】本発明の実施の形態に係る複合機において、読取を再開する指示を受け付けるために表示部に表示される画面の一例を示す例示図である。
【図１１】本発明の実施の形態に係る複合機において、表示部に表示される案内画面の他例を示す例示図である。
【図１２】本発明の実施の形態に係る複合機において、表示部に表示される案内画面の他例を示す例示図である。
【図１３】本発明の実施の形態に係る複合機において、表示部に表示される案内画面の他例を示す例示図である。
【発明を実施するための形態】
【００２５】
図１は本発明の実施の形態に係る複合機１００の外見を示す斜視図であり、図２は本発明の実施の形態に係る複合機１００の要部構成を示す機能ブロック図である。複合機１００は、カラーコピー機能及びカラースキャナ機能等を有するデジタル複合機である。
【００２６】
複合機１００は、原稿から画像を光学的に読み取る画像読取部２０（画像読取装置）を備えており、画像読取部２０には、読み取った画像に応じた画像データを生成する画像処理部３０が接続されている。画像処理部３０には、画像処理部３０が生成した画像データに基づいて画像を出力する画像出力部４０、及び画像処理部３０が生成した画像データを外部へ送信し、また外部から画像データを受信する送受信部５０が接続されている。画像読取部２０、画像処理部３０、画像出力部４０及び送受信部５０には、使用者からの操作を受け付ける操作パネル６０が接続されている。
【００２７】
操作パネル６０は、複合機１００の動作モードを設定するための設定指示等、複合機１００の動作を制御するための指示をユーザの操作により受け付けるタッチパネル、テンキー等と、操作に必要な情報を表示する液晶ディスプレイ等の表示部７０とを含んで構成されている。また、操作パネル６０は、原稿読取時の動作モードの指定（片面読取又は両面読取等の指定）を受け付ける。
【００２８】
表示部７０は、例えば、ＬＣＤ又はＥＬ（Electroluminescence）パネル等からなり、前記タッチパネルは、表示部７０の表示画面を覆うように設けられている。表示部７０には、複合機１００の状態、ジョブ処理の状況、画像読取部２０が読み取った原稿の画像及び操作パネル６０の操作内容の確認等、ユーザに対して報知すべき情報を表示する。本発明の実施の形態に係る画像読取装置は、画像読取部２０、操作パネル６０及び表示部７０を備えている。
【００２９】
画像処理部３０は、画像読取部２０から入力された画像データに基づき、出力用の画像データを生成する。画像処理部３０によって生成された出力用の画像データはストリームとして画像出力部４０へ出力される。
【００３０】
画像出力部４０（画像形成手段）は、画像処理部３０から入力された出力用の画像データに基づいて、熱転写、電子写真、又はインクジェット等の方式により紙等の記録シート上に画像を形成する。
【００３１】
送受信部５０は、ネットワークカード又はモデム等を用いて構成されており、図示しないＬＡＮ（Local Area Network）又はインターネット等の通信ネットワークを介して外部とデータの送受信を行う。
【００３２】
記憶部８０は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ（Ovonic Unified Memory）等の不揮発性の記憶媒体により構成されている。また、記憶部８０には、送受信部５０を介して受信されたデータが記憶される。
【００３３】
また、複合機１００は制御部１０を備えている。制御部１０は複合機１００で実行される各種の処理において、上述した各ハードウェアを制御する。また、制御部１０は、図示は省略するが、ＣＰＵ（Central Processing Unit）、ＲＯＭ及びＲＡＭを備えている。
【００３４】
前記ＣＰＵは、ＲＯＭに予め格納されている制御プログラムをＲＡＭ上にロードして実行することによって上述した各種ハードウェアの制御を行い、装置全体を実施の形態の複合機１００として動作させる。
【００３５】
図３は本発明の実施の形態に係る複合機１００の画像読取部２０の要部構成を示す縦断面図である。図３に示すように、本発明の実施の形態に係る画像読取部２０は、原稿を原稿搬送路Ｆに沿って自動的に搬送する自動原稿送り装置（以下、ＡＤＦと言う）２１２と、搬送されてきた原稿の表面側の画像を読み取る表面画像読取部２１０と、搬送されてきた原稿の裏面側の画像を読み取る裏面画像読取部２１１とを備えている。なお、原稿の表面及び裏面については、原稿が後述する原稿載置台２１６に載置された状態で、コンテンツが視認できるように、開示された方が表面であり、その反対側が裏面である。
【００３６】
画像読取部２０は複合機１００の上部に設けられており、裏面画像読取部２１１を収納するＡＤＦ２１２、及び表面画像読取部２１０を収容する主走査部２１３を備えている。ＡＤＦ２１２と主走査部２１３とはヒンジ（図示せず）によって連結され、ＡＤＦ２１２はヒンジの回動によって主走査部２１３に対して開閉可能に構成されている。
【００３７】
主走査部２１３は、筐体２１４及び透明なガラス板からなるプラテン板２１５を備えており、表面画像読取部２１０は筐体２１４内に収容されている。
【００３８】
表面画像読取部２１０は、光源２２１を保持する光源ユニット２２４、複数のミラーを保持するミラーユニット２２５、レンズ２２２及びＣＣＤ２２３を有している。
【００３９】
主走査部２１３は、ユーザが原稿をプラテン板２１５上に載置して原稿画像の読み取りを行う方法（以下、原稿固定方式という）と、ＡＤＦ２１２によって自動的に原稿を搬送しながら原稿画像を読み取る方法（以下、原稿搬送方式という）とによって原稿を読み取ることができる。
【００４０】
自動的に原稿を搬送しながら原稿を読み取る場合は、光源ユニット２２４及びミラーユニット２２５は、ホームポジションに静止したまま、ＡＤＦ２１２によってホームポジション（読取窓２３６）の上部を通過するように搬送される原稿に対して、光源２２１から光を照射して画像を走査し、原稿の表面から反射された光は、ガラス等の透明部材からなる読取窓２３６を通過して光源ユニット２２４の内に入射され、光源ユニット２２４のミラーによって反射された後、ミラーユニット２２５によって１８０°光路変換され、レンズ２２２を介してＣＣＤ２２３に結像し、電気的な画像データに変換される。
【００４１】
一方、ＡＤＦ２１２は、原稿載置台２１６に載置された原稿を１枚ずつＡＤＦ２１２の内部へ取り込む取り込みローラ２１７と、取り込まれた原稿を原稿搬送路Ｆに沿って搬送する複数対の搬送ローラ２１８と、給紙タイミングを調節するレジストローラ２１９と、画像読取を終えた原稿を排出トレイ２３１へ排出する排紙ローラ２２０とを有しており、裏面画像読取部２１１が略Ｕ字状に弧を描く原稿搬送路Ｆ内に収まるように配設されている。
【００４２】
裏面画像読取部２１１は、光源２２６と、光源２２６からの光を反射する複数のミラーと、レンズ２２７と、ＣＣＤ２２８とを有しており、これらは筐体２２９に収容され、ユニット化されている。
【００４３】
上述したように、裏面画像読取部２１１は、ユーザから両面原稿の読み取りの要求がなされた場合、原稿搬送路Ｆを搬送される原稿の裏面の画像を読み取る。具体的には、表面画像読取部２１０によって原稿の表面の画像が読み取られた後、該原稿は原稿搬送路Ｆに沿って排出トレイ２３１に向けて搬送されるが、この際、裏面画像読取部２１１の光源２２６の下部を通過する。斯かる原稿が光源２２６（読取窓２３２）の下部を通過するとき、光源２２６は原稿の裏面に向けて光を照射し、原稿の裏面から反射された光は、ガラス等の透明部材からなる読取窓２３２を通過して筐体２２９の内に入射され、複数のミラーによって光路変換された後、レンズ２２７を介してＣＣＤ２２８に結像し、電子的な画像データに変換される。
【００４４】
また、ＡＤＦ２１２の下側は、主走査部２１３のプラテン板２１５上に載置される読取すべき原稿を上から押さえる押さえ板２３０が設けられている。
【００４５】
更に、原稿載置台２１６には、載置された原稿の有無を検出するための原稿センサ２３５、原稿の搬送方向の原稿長さを検出する原稿長さセンサ２３３が備えられている。また、原稿載置台２１６には、原稿の横方向（奥行方向）を規制する原稿ガイド２３４が設けられている。
【００４６】
読取すべき原稿を搬送する原稿搬送路Ｆには、搬送される原稿の位置を検出するための経路センサ２３８が複数箇所に備えられており、各センサの検出タイミングにより原稿の搬送速度、原稿の位置等を検出することが可能となっている。また、経路センサ２３８の検出結果に基づいて、原稿搬送路Ｆ内に原稿が残っているか否かが判定される。
【００４７】
図４は本発明の実施の形態に係る複合機１００の画像読取部２０の要部構成を示す機能ブロック図である。本発明の実施の形態に係る画像読取部２０は、読取制御部２０１、スキャナ部２０２、画像処理部２０３、記憶部２０４、Ｉ／Ｆ２０５、原稿走査部駆動モータ２０６を駆動制御するドライバ２０７、原稿搬送ローラ駆動モータ２０９を駆動制御するドライバ２０８、読取窓２３６及び読取窓２３２の汚れを検出する汚れ検出部２３７等を備えている。
【００４８】
スキャナ部２０２（読取部）は、図３に示す表面画像読取部２１０及び裏面画像読取部２１１を備えており、上述した方法によって、原稿の光学データを取得する。
【００４９】
画像処理部２０３は、表面画像読取部２１０又は裏面画像読取部２１１で取得されたた光学データ（アナログデータ）を、ページ単位で電子的な画像データ（デジタルデータ）に変換する。
【００５０】
また、画像処理部２０３は、スキャナ部２０２による原稿の読取順が、該原稿のページ順に沿って行なわれていない場合、読み取られたページ単位の画像データがページ順となるように、順番を揃える。
【００５１】
記憶部２０４は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部２０４は、操作パネル６０を介して入力された各種指示内容、スキャナ部２０２で読み取った原稿の光学データ等を記憶する。
【００５２】
Ｉ／Ｆ２０５は、外部機器との間でのデータ送受信のためのインターフェイスであり、例えば、画像処理部２０３で画像処理されたデータはＩ／Ｆ２０５を介して外部機器に送信する。
【００５３】
原稿走査部駆動モータ２０６は、原稿固定方式によって原稿画像を読み取る場合に、光源ユニット２２４及びミラーユニット２２５を適宜の速度で副走査方向に移動させるためのモータであり、読取制御部２０１からの指示により、ドライバ２０７によって適宜駆動制御される。
【００５４】
原稿搬送ローラ駆動モータ２０９は、原稿搬送路Ｆに配置された取り込みローラ２１７、搬送ローラ２１８、レジストローラ２１９、排紙ローラ２２０などの各ローラを駆動するモータであり、読取制御部２０１からの指示により、ドライバ２０８によって適宜駆動制御される。
【００５５】
汚れ検出部２３７は、読取窓２３６及び読取窓２３２における、汚れ具合を検出する。搬送される原稿が読取窓２３６の上部又は読取窓２３２の下部を通過する際、原稿の粉塵、トナー、インク等が読取窓２３６又は読取窓２３２に付着する場合がある。このような状態のまま印刷がされた場合は、副走査方向にスジ状の模様が発生することとなる。そこで、本発明の実施の形態に係る複合機１００においては、汚れ検出部２３７が読取窓２３６及び読取窓２３２の汚れ具合を検出し、斯かる検出の結果に応じて適宜対応が行なわれる。
【００５６】
例えば、複合機１００が電源オンになる際、複合機１００が節電モードからレディーモードにシフトする際、画像読取部２０が起動する際等に、汚れ検出部２３７は読取窓２３６及び読取窓２３２に対して主走査方向へのスキャンを行い、読取窓２３６及び読取窓２３２の白レベル値（汚れ具合）を取得する。
【００５７】
一方、記憶部２０４には閾値となる白レベル値が記憶されており、後述するように、汚れ検出部２３７によって検出された読取窓２３６及び読取窓２３２の白レベル値と、記憶部２０４に記憶された閾値とが比較されることによって、読取窓２３６又は読取窓２３２が汚れているか否か判定される。
【００５８】
図５は本発明の実施の形態に係る複合機１００の画像読取部２０における、読取制御部２０１の要部構成を示す機能ブロック図である。読取制御部２０１は、画像読取部２０全体の動作制御を管理する部分であり、ＣＰＵ２４１、ＲＯＭ２４２、ＲＡＭ２４３、表示制御部２４４、選択的読取指示部２４５、指定受付部２４６及び判定部２４７を備えている。
【００５９】
ＣＰＵ２４１は、ＲＯＭ２４２に予め格納されている制御プログラムをＲＡＭ２４３上にロードして実行することによって、上記の各種ハードウェアの制御を行う。また、ＣＰＵ２４１は操作パネル６０を介してユーザから所定の指示を受け付ける。
【００６０】
表示制御部２４４は表示部７０への画像表示を制御する。例えば、ＣＰＵ２４１の指示に応じて、ユーザに通知すべきメッセージを表示させる。また、表示制御部２４４は、読取窓２３６又は読取窓２３２が汚れたことによって表面又裏面の読取が制限された場合、適宜なタイミングに、原稿載置台２１６に載置された原稿の裏表を反転して載置する旨の案内画像を表示部７０に表示する。
【００６１】
選択的読取指示部２４５は、汚れ検出部２３７による検出結果に基づき、表面画像読取部２１０による原稿の表面の読取、又は裏面画像読取部２１１による原稿の裏面の読取を選択的に行うよう指示する。すなわち、選択的読取指示部２４５はドライバ２０７及びドライバ２０８を制御することにより、読取窓２３６が汚れている場合は、表面画像読取部２１０による表面の読取を制限して裏面画像読取部２１１による裏面の読取のみを行わせ、読取窓２３２が汚れている場合、裏面画像読取部２１１による裏面の読取を制限して表面画像読取部２１０による表面の読取のみを行なう。
【００６２】
指定受付部２４６は、表示部７０（タッチパネル）を介して、ユーザから所定の指示を受け付ける。詳しくは、ユーザは原稿の読取に先立って表示部７０のタッチパネルを適宜操作することにより、読取すべき原稿が片面原稿か両面原稿かを指定するので、斯かるユーザの操作の際、指定受付部２４６は表示部７０のタッチパネルを介してユーザの指定を受け付ける。
【００６３】
判定部２４７は、上述したように、汚れ検出部２３７が読取窓２３６及び読取窓２３２の汚れ具合を検出した場合、汚れ検出部２３７によって検出された読取窓２３６及び読取窓２３２の白レベル値と、記憶部２０４に記憶された閾値とが比較されることによって、読取窓２３６又は読取窓２３２が汚れているか否かを判定する。
【００６４】
なお、上述した選択的読取指示部２４５、指定受付部２４６及び判定部２４７は、ハードウェアロジックによって構成してもよいし、ＣＰＵ２４１が所定のプログラムを実行することにより、ソフトウェア的に構築されてもよい。
【００６５】
図６及び図７は本発明の実施の形態に係る複合機１００における、汚れ検出と、汚れ検出に基づく処理とを説明するフローチャートである。以下においては、説明の便宜上、ユーザは複数枚（５枚）の両面原稿からなる原稿束を読取するものとする。すなわち、１〜１０ページまでの画像が読み取られる。
【００６６】
まず、ユーザは、複合機１００の電源スイッチを操作することによって、電源を入れる。この際、制御部１０は前記電源スイッチを介して電源をオンにする指示を受け付け、装置を電源オンの状態にする（ステップＳ１０１）。
【００６７】
斯かる際、画像読取部２０のＣＰＵ２４１は読取窓２３６及び読取窓２３２の汚れを検出するよう汚れ検出部２３７に指示する。ＣＰＵ２４１の指示に応じて、主走査方向のスキャンが行われ、汚れ検出部２３７は読取窓２３６及び読取窓２３２の汚れ具合を検出する（ステップＳ１０２）。汚れ検出部２３７による汚れ検出については既に説明しており、詳しい説明を省略する。汚れ検出部２３７によって検出された読取窓２３６及び読取窓２３２の白レベル値はＲＡＭ２４３に一時記憶される。
【００６８】
以後、ユーザは原稿束を原稿載置台２１６に載置し、操作パネル６０を適宜操作して、当該原稿が片面原稿であるか両面原稿であるか指定した後、該原稿束の読取を指示する。この際、原稿束は最上側原稿の表面が１ページであって、最下側原稿の裏面が１０ページであるように載置されている。
【００６９】
指定受付部２４６は操作パネル６０を介して該指定を受け付け、ＣＰＵ２４１は操作パネル６０を介して読取指示を受け付ける（ステップＳ１０３）。指定受付部２４６が受け付けた当該指定はＲＡＭ２４３に記憶される。
【００７０】
ＣＰＵ２４１が斯かる読取指示を受け付けた場合、判定部２４７はＲＡＭ２４３に記憶されている読取窓２３６及び読取窓２３２の白レベル値に基づき、これらが汚れているか否かを判定する（ステップＳ１０４）。判定部２４７による汚れ如何の判定については既に説明しており、詳しい説明を省略する。
【００７１】
次いで、ＣＰＵ２４１は、判定部２４７による判定結果に基づき、読取窓２３６及び読取窓２３２の中、汚れている読取窓があるか否かを判定する（ステップＳ１０５）。
【００７２】
ＣＰＵ２４１は、読取窓２３６及び読取窓２３２の中、汚れている読取窓がないと判定した場合（ステップＳ１０５：ＮＯ）、ドライバ２０７及びドライバ２０８を制御し、原稿載置台２１６に載置された原稿束の自動搬送及び走査が行なわれる。この際、原稿は所定のインタバルをおいて、１枚ずつ搬送され、表面画像読取部２１０及び裏面画像読取部２１１は原稿の表面及び裏面を各々読み取る（ステップＳ１０６）。従って、１ページ〜１０ページまでがページ順に読み取られる。読み取られた原稿の画像データはＲＡＭ２４３に記憶され、処理は終了する。
【００７３】
一方、ＣＰＵ２４１は、読取窓２３６及び読取窓２３２の中、汚れている読取窓があると判定した場合（ステップＳ１０５：ＹＥＳ）、読取窓２３６及び読取窓２３２の両方が汚れているか否かを判定する（ステップＳ１０７）。
【００７４】
ＣＰＵ２４１によって読取窓２３６及び読取窓２３２の両方が汚れていると判定された場合（ステップＳ１０７：ＹＥＳ）、表示制御部２４４は読取窓を掃除するよう促す旨の案内画面を表示部７０に表示する（ステップＳ１０８）。
【００７５】
図８は本発明の実施の形態に係る複合機１００において、表示部７０に表示される案内画面の一例を示す例示図である。表示部７０には、「ＡＤＦ装置の読取窓が汚れているため、スジ状の模様が表れる可能性があります。ＡＤＦ装置の読取窓を清掃してください。」との案内が表示されている。
【００７６】
例えば、ユーザが斯かる案内を視認した後、図８の案内画面に設けられている「ＯＫ」ソフトキーをタッチ操作した場合、読取窓の清掃が行なわれるまで、今現在、原稿の読取が出来ない状態である旨の案内画面が表示部７０に表示される。
【００７７】
図９は本発明の実施の形態に係る複合機１００において、表示部７０に表示される案内画面の他例を示す例示図である。図９に示す案内画面には、「ＡＤＦ装置の読取窓が汚れているため、読取が制限されています。」との案内が表示されている。
【００７８】
例えば、ユーザが読取窓２３６及び読取窓２３２の清掃を行なった後、図９に示す案内画面に設けられた「ＯＫ」ソフトキーをタッチ操作した場合は、原稿の読取を再開する指示を受け付けるための画面が表示される。
【００７９】
図１０は本発明の実施の形態に係る複合機１００において、読取を再開する指示を受け付けるために表示部７０に表示される画面の一例を示す例示図である。斯かる画面には、原稿の読取を再開する指示をユーザから受け付けるために、「ジョブ制限解除」ソフトキー（図１０中、矢印にて表示）が設けられている。読取窓の清掃を終えたユーザが「ジョブ制限解除」ソフトキーをタッチ操作することにより、原稿の読取が再び可能となる。        
【００８０】
一方、ステップＳ１０７にて、ＣＰＵ２４１が読取窓２３６及び読取窓２３２の両方が汚れていないと判定した場合（ステップＳ１０７：ＮＯ）、換言すれば、読取窓２３６及び読取窓２３２の中、何れか一方のみが汚れていると判定された場合、表示制御部２４４はその旨を通知する案内画面を表示部７０に表示する。
【００８１】
図１１は本発明の実施の形態に係る複合機１００において、表示部７０に表示される案内画面の他例を示す例示図である。図１１の案内画面には、「ＡＤＦ装置の読取窓が汚れているため、片面の読取のみ可能です。このまま継続しますか？」との案内が表示されている。また、図１１の案内画面には、原稿の読取を継続する指示を受け付けるための「はい」ソフトキーと、原稿の読取を中止する指示を受け付けるための「いいえ」ソフトキーが設けられている。
【００８２】
例えば、ユーザが図１１の案内画面の「はい」ソフトキーをタッチ操作することによって、該案内画面を介して原稿の読取を継続する指示が受け付けられた場合、ＣＰＵ２４１は、表面の読取に用いられる読取窓２３６が汚れたか否かを更に判定する（ステップＳ１０９）。
【００８３】
ＣＰＵ２４１は、表面の読取に用いられる読取窓２３６が汚れていると判定した場合（ステップＳ１０９：ＹＥＳ）、ステップＳ１０３にて受け付けた原稿指定に基づき、読取すべき原稿が両面原稿か否かを判定する（ステップＳ１１０）。
【００８４】
ＣＰＵ２４１によって，読取すべき原稿が両面原稿であると判定された場合（ステップＳ１１０：ＹＥＳ）、選択的読取指示部２４５はドライバ２０７及びドライバ２０８を制御し、表面画像読取部２１０による原稿の表面の読取を制限すると共に、裏面画像読取部２１１による原稿の裏面の読取のみを行なわせる（ステップＳ１１１）。この際、原稿束の２、４、６、８、１０ページがこの順に読み取られる。読み取られた原稿の画像は記憶部２０４に記憶される。
【００８５】
このように、裏面画像読取部２１１による原稿の裏面の読取が終わった場合、原稿の表面を読み取るために、案内画面が表示部７０に表示される。すなわち、表示制御部２４４が、原稿束の裏表を反転させるよう促す旨の案内画面を表示部７０に表示する（ステップＳ１１２）。
【００８６】
図１２は本発明の実施の形態に係る複合機１００において、表示部７０に表示される案内画面の他例を示す例示図である。図１２に示す案内画面には、「原稿の片面のみが読取されました。載置台の原稿の裏表を反転させてください。」との案内が表示されている。
【００８７】
斯かる案内に応じて、例えば、ユーザは、当該原稿束を把持して束ごとに反転させる。すなわち、原稿束は最上側原稿の表面が１０ページであって、最下側原稿の裏面が１ページである状態にて載置されている。このような状態にて、ユーザは、操作パネル６０を適宜操作することにより、再び、原稿の読取を指示する。
【００８８】
ＣＰＵ２４１が操作パネル６０を介して、原稿の読取の指示を受け付けた場合、選択的読取指示部２４５はドライバ２０７及びドライバ２０８を制御し、表面画像読取部２１０による原稿の表面の読取を制限すると共に、裏面画像読取部２１１による原稿の裏面の読取のみを行なわせる（ステップＳ１１３）。この際、原稿束の９、７、５、３、１ページがこの順に読み取られる。読み取られた原稿の画像は記憶部２０４に記憶される。
【００８９】
以上のように、裏面画像読取部２１１による原稿の裏面の読取が終わった場合、記憶部２０４に記憶された原稿の画像は、画像処理部２０３に送られる。画像処理部２０３はこれら原稿の画像がページ順になるよう、順番を入れ替える。
【００９０】
一方、ステップＳ１１０にて、ＣＰＵ２４１により、読取すべき原稿が両面原稿でないと判定された場合（ステップＳ１１０：ＮＯ）、換言すれば、読取すべき原稿が片面原稿である場合、案内画面が表示部７０に表示される。すなわち、今現在、原稿の裏面の読取のみが可能であることから、表示制御部２４４は原稿束の裏表を反転させるよう促す旨の案内画面を表示部７０に表示する（ステップＳ１１４）。
【００９１】
図１３は本発明の実施の形態に係る複合機１００において、表示部７０に表示される案内画面の他例を示す例示図である。図１３に示す案内画面には、「載置台の原稿の裏表を反転させてから、原稿の読取を開始してください」との案内が表示されている。
【００９２】
斯かる案内に応じて、例えば、ユーザは、当該原稿束を把持して束ごとに反転させる。この際の原稿束は、最上側原稿の表面が１０ページであって、最下側原稿の裏面が１ページである状態にて載置されている。続いて、ユーザは、操作パネル６０を適宜操作することにより、原稿の読取を指示する。
【００９３】
ＣＰＵ２４１が操作パネル６０を介して、原稿の読取の指示を受け付けた場合、選択的読取指示部２４５はドライバ２０７及びドライバ２０８を制御し、表面画像読取部２１０による原稿の表面の読取を制限すると共に、裏面画像読取部２１１による原稿の裏面の読取のみを行なわせる（ステップＳ１１５）。
【００９４】
一方、ステップＳ１０９にて、ＣＰＵ２４１は、表面の読取に用いられる読取窓２３６が汚れていないと判定した場合（ステップＳ１０９：ＮＯ）、換言すれば、裏面の読取に用いられる読取窓２３２が汚れている場合、ＣＰＵ２４１は読取すべき原稿が両面原稿か否かを判定する（ステップＳ１１６）。斯かるＣＰＵ２４１の判定は、ステップＳ１０３にて受け付けた原稿指定に基づいて行なわれる。
【００９５】
ＣＰＵ２４１によって読取すべき原稿が両面原稿であると判定された場合（ステップＳ１１６：ＹＥＳ）、選択的読取指示部２４５はドライバ２０７及びドライバ２０８を制御し、裏面画像読取部２１１による原稿の裏面の読取を制限すると共に、表面画像読取部２１０による原稿の表面の読取のみを行なわせる（ステップＳ１１７）。この際、原稿束の１、３、５、７、９ページがこの順に読み取られる。読み取られた原稿の画像は記憶部２０４に記憶される。
【００９６】
このように、表面画像読取部２１０による原稿の表面の読取が終わった場合、原稿の裏面を読み取るために、案内画面が表示部７０に表示される。すなわち、表示制御部２４４が、原稿束の裏表を反転させるよう促す旨の案内画面（図１２参照）を表示部７０に表示する（ステップＳ１１８）。
【００９７】
斯かる案内に応じて、例えば、ユーザは、当該原稿束を把持して束ごとに反転させる。従って、原稿束は最上側原稿の表面が１０ページであって、最下側原稿の裏面が１ページである状態にて載置されている。このような状態にて、ユーザは、操作パネル６０を適宜操作することにより、再び、原稿の読取を指示する。
【００９８】
ＣＰＵ２４１が操作パネル６０を介して、原稿の読取の指示を受け付けた場合、選択的読取指示部２４５はドライバ２０７及びドライバ２０８を制御し、裏面画像読取部２１１による原稿の裏面の読取を制限すると共に、表面画像読取部２１０による原稿の表面の読取のみを行なわせる（ステップＳ１１９）。この際、原稿束の１０、８、６、４、２ページがこの順に読み取られる。読み取られた原稿の画像は記憶部２０４に記憶される。
【００９９】
このように、表面画像読取部２１０による原稿の表面の読取が終わった場合、記憶部２０４に記憶された原稿の画像は、画像処理部２０３に送られる。画像処理部２０３はこれら原稿の画像がページ順になるよう、順番を入れ替える。
【０１００】
一方、ステップＳ１１６にて、ＣＰＵ２４１により、読取すべき原稿が両面原稿でないと判定された場合（ステップＳ１１６：ＮＯ）、換言すれば、読取すべき原稿が片面原稿である場合には、選択的読取指示部２４５はドライバ２０７及びドライバ２０８を制御し、表面画像読取部２１０による原稿の表面の読取のみを行なわせる（ステップＳ１２０）。
【０１０１】
以上の記載においては、読取窓２３６又は／及び読取窓２３２が汚れていることによって、原稿の表面又は／及び裏面の読取が出来ない場合を例として説明したが、本発明の適用はこれに限るものでない。例えば、何だかの原因によって、読取窓２３６及び読取窓２３２の何れか一方が使えない場合にも適用可能である。
【符号の説明】
【０１０２】
１０  制御部
４０  画像出力部
７０  表示部
２４５  選択的読取指示部
２４４  表示制御部
２４１  ＣＰＵ
２４６  指定受付部
２４７  判定部
２３７  汚れ検出部
２０  画像読取部
１００  複合機
２３６  読取窓
２３２  読取窓
【図１】
2013121141.tif 000003
【図２】
2013121141.tif 000004
【図３】
2013121141.tif 000005
【図４】
2013121141.tif 000006
【図５】
2013121141.tif 000007
【図６】
2013121141.tif 000008
【図７】
2013121141.tif 000009
【図８】
2013121141.tif 000010
【図９】
2013121141.tif 000011
【図１０】
2013121141.tif 000012
【図１１】
2013121141.tif 000013
【図１２】
2013121141.tif 000014
【図１３】
2013121141.tif 000015